(57)【要約】【課題】  記録したコンテンツデータがどの位置まで視聴済であるのかをユーザに容易に認識させるようにする。【解決手段】  番組コンテンツデータＣＤの再生を停止した位置を示す停止時点を番組コンテンツデータＣＤ毎にハードディスクドライブ７に記録し、この停止時点に応じて番組コンテンツデータＣＤの停止時点を色で示すコンテンツアイコンＩＣを当該番組コンテンツデータＣＤ毎に生成するようにしたことにより、コンテンツアイコンＩＣを外部のモニタ１６に表示させてユーザに各番組コンテンツデータＣＤの停止時点を認識させることができるので、記録した番組コンテンツデータＣＤがどの時点まで視聴済であるのかをユーザに容易に認識させることができる。【選択図】          図６
2005216338.tif 000002
【特許請求の範囲】
【請求項１】
コンテンツデータを記録媒体に記録する記録手段と、
上記記録媒体に記録されたコンテンツデータを読み出して再生する再生手段と、
上記再生手段による上記コンテンツデータの再生を停止すると、当該再生の停止位置を上記記録媒体に記録された上記コンテンツデータ毎に上記記録媒体に記録する停止位置記録手段と、
上記停止位置記録手段により記録された上記停止位置に応じて、当該停止位置を示す表示子を当該コンテンツデータ毎に生成する表示子生成手段と
を具えることを特徴とする記録再生装置。
【請求項２】
上記停止位置記録手段により記録された上記停止位置に応じて、上記記録媒体に記録された上記コンテンツデータをソートするソート手段を具える
ことを特徴とする請求項１に記載の記録再生装置。
【請求項３】
上記停止位置記録手段により記録された上記停止位置に応じて、上記記録媒体に記録された上記コンテンツデータの消去を促す告知情報を出力する告知情報出力手段を具える
ことを特徴とする請求項１に記載の記録再生装置。
【請求項４】
上記停止位置記録手段により記録された上記停止位置に応じて、上記記録媒体に記録された上記コンテンツデータの上記再生手段による再生順序を設定する再生順序設定手段を具える
ことを特徴とする請求項１に記載の記録再生装置。
【請求項５】
上記停止位置記録手段は、
上記停止位置を上記コンテンツデータに含まれるタイムコードから取得して記録する
ことを特徴とする請求項１に記載の記録再生装置。
【請求項６】
コンテンツデータを記録媒体に記録する記録ステップと、
上記記録媒体に記録されたコンテンツデータを読み出して再生する再生ステップと、
上記再生ステップでコンテンツデータの再生を停止すると、当該再生の停止位置を上記記録媒体に記録される上記コンテンツデータ毎に上記記録媒体に記録する停止位置記録ステップと、
上記停止位置記録ステップで記録した上記停止位置に応じて、当該停止位置を示す表示子を当該コンテンツデータ毎に生成する表示子生成ステップと
を具えることを特徴とする記録再生方法。
【請求項７】
情報処理装置に対して、
コンテンツデータを記録媒体に記録する記録ステップと、
上記記録媒体に記録されたコンテンツデータを読み出して再生する再生ステップと、
上記再生ステップでコンテンツデータの再生を停止すると、当該再生の停止位置を上記記録媒体に記録される上記コンテンツデータ毎に上記記録媒体に記録する停止位置記録ステップと、
上記停止位置記録ステップで記録した上記停止位置に応じて、当該停止位置を示す表示子を当該コンテンツデータ毎に生成する表示子生成ステップと
を実行させることを特徴とする記録再生プログラム。
【発明の詳細な説明】
【技術分野】
【０００１】
本発明は記録再生装置に関し、例えばハードディスクを記録媒体とするハードディスクレコーダに適用して好適なものである。
【背景技術】
【０００２】
近年、ハードディスクを記録媒体とするハードディスクレコーダが急速に普及しつつある。このようなハードディスクレコーダにおいては、大容量のハードディスクに複数のコンテンツデータ（例えばテレビジョン放送の番組映像及び番組音声からなる番組コンテンツデータ）を合計数十〜数百時間分記録することができるようになされており、これら複数の番組コンテンツデータの中から所望の番組コンテンツデータの再生が指示されると、ハードディスクからこの番組コンテンツデータを読み出して再生するようになされている。
【０００３】
また、かかるハードディスクレコーダにおいては、再生中の番組コンテンツデータを停止するよう指示されたとき、その停止位置を当該番組コンテンツデータのタイムコード等をもとに停止時点として認識し、これをリジューム情報としてハードディスクに記憶しておくことにより、次回に番組コンテンツデータを再生する際に、その停止位置から再生することができるリジューム機能を有するものがある（例えば、特許文献１参照）。
【特許文献１】特開２００３−１５１２４５公報
【発明の開示】
【発明が解決しようとする課題】
【０００４】
ところで、かかるハードディスクレコーダにおいては、そのハードディスクの容量が多ければ多いほど、ハードディスクに記録できる番組コンテンツデータの数及び時間が多くなる。このように多くの番組コンテンツデータが記録できるハードディスクレコーダの場合、ユーザは、どの番組コンテンツデータが既に視聴し終えたものであるのか、あるいはまだ視聴し終えていないものであるのか、視聴し終えていないものであるとすればどの時点まで視聴したものであるのかを容易に把握することができない。
【０００５】
例えば上述のリジューム機能を利用することにより、前回ある番組コンテンツデータを再生した際に、どの時点まで視聴したのかをユーザに認識させることはできるが、この場合、その番組コンテンツデータを再生してみなければ認識させることができない。
【０００６】
すなわちユーザは、かかるハードディスクレコーダに多くの番組コンテンツデータが記録されている場合、これら１つ１つを再生してみなければ、それぞれの番組コンテンツデータがどの時点まで視聴済であるのかを確認することができなかった。
【０００７】
このように、かかるハードディスクレコーダにおいては、記録した番組コンテンツデータがどの時点まで視聴済であるのかをユーザに容易に認識させることができないという問題があった。
【０００８】
本発明は以上の点を考慮してなされたもので、記録したコンテンツデータがどの位置まで視聴済であるのかをユーザに容易に認識させ得る記録再生装置、記録再生方法及び記録再生プログラムを提案しようとするものである。
【課題を解決するための手段】
【０００９】
かかる課題を解決するため本発明の記録再生装置においては、コンテンツデータを記録媒体に記録する記録手段と、記録媒体に記録されたコンテンツデータを読み出して再生する再生手段と、再生手段によるコンテンツデータの再生を停止すると、当該再生の停止位置を記録媒体に記録されたコンテンツデータ毎に記録媒体に記録する停止位置記録手段と、停止位置記録手段により記録された停止位置に応じて、当該停止位置を示す表示子を当該コンテンツデータ毎に生成する表示子生成手段とを設けるようにした。
【００１０】
これにより、コンテンツデータの再生を停止した位置を示す表示子を所定の表示部に表示させてユーザに各コンテンツデータの停止位置を認識させることができる。
【００１１】
また本発明の記録再生方法においては、コンテンツデータを記録媒体に記録する記録ステップと、記録媒体に記録されたコンテンツデータを読み出して再生する再生ステップと、再生ステップでコンテンツデータの再生を停止すると、当該再生の停止位置を記録媒体に記録されるコンテンツデータ毎に記録媒体に記録する停止位置記録ステップと、停止位置記録ステップで記録した停止位置に応じて、当該停止位置を示す表示子を当該コンテンツデータ毎に生成する表示子生成ステップとを設けるようにした。
【００１２】
これにより、コンテンツデータの再生を停止した位置を示す表示子を所定の表示部に表示させてユーザに各コンテンツデータの停止位置を認識させることができる。
【００１３】
さらに本発明の記録再生プログラムにおいては、情報処理装置に対して、コンテンツデータを記録媒体に記録する記録ステップと、記録媒体に記録されたコンテンツデータを読み出して再生する再生ステップと、再生ステップでコンテンツデータの再生を停止すると、当該再生の停止位置を記録媒体に記録されるコンテンツデータ毎に記録媒体に記録する停止位置記録ステップと、停止位置記録ステップで記録した停止位置に応じて、当該停止位置を示す表示子を当該コンテンツデータ毎に生成する表示子生成ステップとを実行させるようにした。
【００１４】
これにより、コンテンツデータの再生を停止した位置を示す表示子を所定の表示部に表示させてユーザに各コンテンツデータの停止位置を認識させることができる。
【発明の効果】
【００１５】
本発明によれば、記録再生装置において、コンテンツデータを記録媒体に記録する記録手段と、記録媒体に記録されたコンテンツデータを読み出して再生する再生手段と、再生手段によるコンテンツデータの再生を停止すると、当該再生の停止位置を記録媒体に記録されたコンテンツデータ毎に記録媒体に記録する停止位置記録手段と、停止位置記録手段により記録された停止位置に応じて、当該停止位置を示す表示子を当該コンテンツデータ毎に生成する表示子生成手段とを設けるようにしたことにより、コンテンツデータの再生を停止した位置を示す表示子を所定の表示部に表示させてユーザに各コンテンツデータの停止位置を認識させることができるので、記録したコンテンツデータがどの位置まで視聴済であるのかをユーザに容易に認識させ得る記録再生装置を実現できる。
【００１６】
また本発明によれば、記録再生方法において、コンテンツデータを記録媒体に記録する記録ステップと、記録媒体に記録されたコンテンツデータを読み出して再生する再生ステップと、再生ステップでコンテンツデータの再生を停止すると、当該再生の停止位置を記録媒体に記録されるコンテンツデータ毎に記録媒体に記録する停止位置記録ステップと、停止位置記録ステップで記録した停止位置に応じて、当該停止位置を示す表示子を当該コンテンツデータ毎に生成する表示子生成ステップとを設けるようにしたことにより、コンテンツデータの再生を停止した位置を示す表示子を所定の表示部に表示させてユーザに各コンテンツデータの停止位置を認識させることができるので、記録したコンテンツデータがどの位置まで視聴済であるのかをユーザに容易に認識させ得る記録再生方法を実現できる。
【００１７】
さらに本発明によれば、記録再生プログラムにおいて、情報処理装置に対して、コンテンツデータを記録媒体に記録する記録ステップと、記録媒体に記録されたコンテンツデータを読み出して再生する再生ステップと、再生ステップでコンテンツデータの再生を停止すると、当該再生の停止位置を記録媒体に記録されるコンテンツデータ毎に記録媒体に記録する停止位置記録ステップと、停止位置記録ステップで記録した停止位置に応じて、当該停止位置を示す表示子を当該コンテンツデータ毎に生成する表示子生成ステップとを実行させるようにしたことにより、コンテンツデータの再生を停止した位置を示す表示子を所定の表示部に表示させてユーザに各コンテンツデータの停止位置を認識させることができるので、記録したコンテンツデータがどの位置まで視聴済であるのかをユーザに容易に認識させ得る記録再生プログラムを実現できる。
【発明を実施するための最良の形態】
【００１８】
以下図面について、本発明の一実施の形態を詳述する。
【００１９】
（１）本実施の形態によるハードディスクレコーダの構成
図１において、１は全体として本実施の形態によるハードディスクレコーダを示し、リモートコントローラＲＣの操作に応じて当該リモートコントローラＲＣから赤外線信号Ｓ１として送信される各種命令を赤外線受光部２で受信し、これをバス３を介してＣＰＵ４（Central Processing Unit）に供給する。
【００２０】
ＣＰＵ４は、ＲＯＭ（Read Only Memory）５に予め格納されている基本プログラムやコンテンツアイコン生成プログラム等の各種プログラムをバス３を介してＲＡＭ（Random Access Memory）６に読み出し、これら各種プログラムに従って全体を制御すると共に、赤外線受光部２から供給される各種命令に応じた処理を実行するようになされている。
【００２１】
このハードディスクレコーダ１には、例えば２５０ＧＢ程度のハードディスクドライブ７が搭載されており、当該ハードディスクドライブ７にテレビジョン放送における番組の番組映像及び番組音声に基づく映像データ及び音声データを記録する録画モードと、録画した映像データ及び音声データを読み出して再生する再生モードとを有している。
【００２２】
ＣＰＵ４は、録画モード時、アンテナ８を介して受信したテレビジョン放送波Ｓ２をチューナ９に入力する。
【００２３】
チューナ９は、ＣＰＵ４の制御のもと、テレビジョン放送波Ｓ２の中から、リモートコントローラＲＣを介して指定されたチャンネルの信号（以下、これをテレビジョン信号と呼ぶ）Ｓ３を抽出し、これをデスクランブラ１０に送出する。
【００２４】
デスクランブラ１０は、ＣＰＵ４の制御のもと、カードインタフェース１１に挿着されたＩＣカード１２に記録されている暗号キー情報を用いて、テレビジョン信号Ｓ３に対する所定のデスクランブル処理を施し、この結果得られるテレビジョン放送データＤ１をデマルチプレクサ１３に送出する。
【００２５】
デマルチプレクサ１３は、ＣＰＵ４の制御のもと、テレビジョン放送データＤ１を映像部分のパケットからなる映像データＶＤと、音声部分のパケットからなる音声データＡＤとに分離し、これらをハードディスクドライブ７に送出する。
【００２６】
ハードディスクドライブ７は、映像データＶＤと、当該映像データＶＤに対応する音声データＡＤとを番組コンテンツデータＣＤとして空き領域に記録する。
【００２７】
このようにしてハードディスクレコーダ１は、録画モード時、テレビジョン放送の番組映像及び番組音声に基づく番組コンテンツデータＣＤをハードディスクドライブ７に記録することができるようになされている。
【００２８】
一方、再生モード時、ＣＰＵ４は、リモートコントローラＲＣを介して再生するよう指示された番組コンテンツデータＣＤをハードディスクドライブ７から読み出し、これをデマルチプレクサ１３に送出する。
【００２９】
デマルチプレクサ１３は、ＣＰＵ４の制御のもと、番組コンテンツデータＣＤの映像部分である映像データＶＤをビデオデコーダ１４に送出すると共に、当該番組コンテンツデータＣＤの音声部分である音声データＡＤをオーディオデコーダ１５に送出する。
【００３０】
ビデオデコーダ１４は、ＣＰＵ４の制御のもと、映像データＶＤに対してＭＰＥＧ規格に準拠した所定のデコード処理を施してＡ／Ｄ変換し、この結果得られる映像信号ＶＳを外部のモニタ１６に送出する。
【００３１】
またオーディオデコーダ１５は、ＣＰＵ４の制御のもと、音声データＡＤに対してＭＰＥＧ規格に準拠した所定のデコード処理を施してＡ／Ｄ変換し、この結果得られる音声信号ＡＳを外部のスピーカ１７に送出する。
【００３２】
これにより外部のモニタ１６には、映像信号ＶＳに基づく番組映像が表示され、外部のスピーカ１７からは音声信号ＡＳに基づく番組音声が出力される。
【００３３】
このようにしてハードディスクレコーダ１は、再生モード時、ハードディスクに記録してある番組コンテンツデータＣＤに基づく番組映像及び番組音声をモニタ１６及びスピーカ１７を介してユーザに視聴させることができるようになされている。
【００３４】
さらにＣＰＵ４は、デマルチプレクサ１３において、テレビジョン放送データＤ１から映像データＶＤ及び音声データＡＤを分離する際に、これらと共にテレビジョン放送データＤ１に含まれている電子番組ガイド情報のデータ（以下、これをＥＰＧ（Electronic Program Guide）データと呼ぶ）ＥＤを分離し、これをハードディスクドライブ７に記録するようにもなされている。
【００３５】
このＥＰＧデータＥＤは、ＳＩ（Service Information）と呼ばれるセクション形式のテーブル類に記述されており、このテーブル類の中には、チャンネルに関する情報を表すＳＤＴ（Service Description Table）と、番組に関する情報を表すＥＩＴ（Event Information Table）とが存在する。
【００３６】
このＳＤＴには、チャンネル番号、チャンネル名（放送局名）及びチャンネル内容等が記述されており、またＥＩＴには、番組タイトル、放送開始時刻、放送終了時刻、ジャンル及びあらすじ等が記述されている。
【００３７】
すなわちＥＰＧデータＥＤには、現在時刻から数十時間先までに放送される各チャンネルの各番組に関する種々の情報（以下、これを番組情報と呼ぶ）が記述されており、放送局から所定のタイミングで頻繁に配信されるようになされている。従ってハードディスクドライブ７には、常に最新のＥＰＧデータＥＤが保持される。
【００３８】
そしてＣＰＵ４は、このＥＰＧデータＥＤを利用して番組表データを生成し、これをビデオデコーダ１４を介してモニタ１６に番組表画面（図示せず）として表示する。
【００３９】
これによりユーザは、この番組表画面上で、現在時刻から数十時間先までに放送される各チャンネルの各番組に関する種々の番組情報を確認することができる。
【００４０】
またハードディスクレコーダ１においては、この番組表画面上でリモートコントローラＲＣを介してユーザが録画したい番組を選択することができるようになされており、これによりユーザが選択した番組を録画予約することができるようになされている。
【００４１】
実際上ＣＰＵ４は、リモートコントローラＲＣを介してある番組の録画予約が要求されたことを認識すると、ＥＰＧデータＥＤからその番組のチャンネル番号、チャンネル名（放送局名）、番組タイトル、放送開始時刻、放送終了時刻等の番組情報を取得する。
【００４２】
そしてＣＰＵ４は、その番組の放送開始時刻になると録画モードに移り、各部を制御して当該番組の録画を開始し、放送終了時刻になると録画を終了する。
【００４３】
このときＣＰＵ４は、録画予約された番組の番組映像及び番組音声に基づく映像データＶＤ及び音声データＡＤと共に、ＥＰＧデータＥＤから取得した当該番組の番組情報を番組コンテンツデータＣＤとして記録するようになされている。
【００４４】
このようにハードディスクレコーダ１においては、電子番組ガイド情報（ＥＰＧ）を利用してテレビジョン放送の番組を録画予約することができるようになされている。
【００４５】
さらにこのハードディスクレコーダ１においては、ハードディスクドライブ７に記録した番組コンテンツデータＣＤを図２に示すコンテンツ確認画面２０で、ユーザに確認させることができるようにもなされている。
【００４６】
このコンテンツ確認画面２０は、ＣＰＵ４がハードディスクドライブ７に記録した番組コンテンツデータＣＤをもとに生成し、ビデオデコーダ１４を介して外部のモニタ１６に表示させるものであり、ハードディスクドライブ７に記録した番組コンテンツデータＣＤのそれぞれをアイコン化したコンテンツアイコンＩＣ（ＩＣＡ１〜ＩＣＡ３、…）が縦に並べて表示されるコンテンツアイコン表示領域２１と、コンテンツアイコン表示領域２１に表示するコンテンツアイコンＩＣ（ＩＣＡ１〜ＩＣＡ３、…）を録画日（放送日）等の所定条件で指定するための複数のフォルダＦＬ（ＦＬ１〜ＦＬ４）がアイコン化されて表示されるフォルダアイコン表示領域２２と、コンテンツアイコン表示領域２１に表示するコンテンツアイコンＩＣ（ＩＣＡ１〜ＩＣＡ３、…）を所定の条件でソートするための複数のソートボタンＳＢ（ＳＢ１〜ＳＢ５）が表示されるソートアイコン表示領域２２とで構成される。
【００４７】
フォルダアイコン表示領域２２には、ハードディスクドライブ７に記録された番組コンテンツデータＣＤの全てをそれぞれコンテンツアイコンＩＣ（ＩＣＡ１〜ＩＣＡ３、…）としてコンテンツアイコン表示領域２１に表示させるための全フォルダＦＬ１と、特定の録画日の番組コンテンツデータＣＤのみをコンテンツアイコン表示領域２１に表示させるための日付指定フォルダＦＬ２〜ＦＬ４とが表示される。
【００４８】
例えば図２においては、全フォルダＦＬ１に加えて、録画日が「１２月１日」の番組コンテンツデータＣＤのみをコンテンツアイコン表示領域２１に表示させる日付指定フォルダＦＬ２と、録画日が「１２月２日」の番組コンテンツデータＣＤのみを表示させる日付指定フォルダＦＬ３と、録画日が「１２月３日」の番組コンテンツデータＣＤのみを表示させる日付指定フォルダＦＬ４とが表示されている。
【００４９】
そして、これらのフォルダＦＬ（ＦＬ１〜ＦＬ４）のうちのいずれかをリモートコントローラＲＣを介して選択することができるようになされており、これによりコンテンツアイコン表示領域２１に表示させる番組コンテンツデータＣＤのコンテンツアイコンＩＣ（ＩＣＡ１〜ＩＣＡ３、…）を各フォルダＦＬ（ＦＬ１〜ＦＬ４）の条件で指定することができる。因みに、日付指定フォルダＦＬ２〜ＦＬ４は、録画日毎に追加生成されるようになされている。
【００５０】
ソートボタン表示領域２３には、コンテンツアイコン表示領域２１に表示されたコンテンツアイコンＩＣ（ＩＣＡ１〜ＩＣＡ３、…）をその録画時刻（放送時刻）が早い順に並び替える時刻順ボタンＳＢ１と、視聴割合（後述する）の低い順に並び替える視聴割合低順ボタンＳＢ２と、視聴割合の高い順に並び替える視聴割合高順ボタンＳＢ３と、視聴割合が「０〜２０％」のもののみをコンテンツアイコン表示領域２１に表示させる視聴割合低ボタンＳＢ４と、視聴割合が「８１〜１００％」のもののみを表示させる視聴割合高ボタンＳＢ５とが表示される。
【００５１】
そして、これらのソートボタンＳＢ（ＳＢ１〜ＳＢ５）のうちのいずれかをリモートコントローラＲＣを介して選択することができるようになされており、これによりコンテンツアイコン表示領域２１に表示させる番組コンテンツデータＣＤのコンテンツアイコンＩＣ（ＩＣＡ１〜ＩＣＡ３、…）を各ソートボタンＳＢ（ＳＢ１〜ＳＢ５）の条件でソートすることができる。
【００５２】
コンテンツアイコン表示領域２１には、選択されたフォルダＦＬ（ＦＬ１〜ＦＬ４）やソートボタンＳＢ（ＳＢ１〜ＳＢ５）の条件に応じた番組コンテンツデータＣＤのコンテンツアイコンＩＣ（ＩＣＡ１〜ＩＣＡ３、…）が表示されると共に、その右側に当該コンテンツアイコンＩＣ（ＩＣＡ１〜ＩＣＡ３、…）に対応する番組コンテンツデータＣＤのチャンネル名、番組タイトル、放送開始時刻（放送日含む）及び放送終了時刻が表示される。
【００５３】
例えば図２においては、日付指定フォルダＦＬ４と時刻順ボタンＳＢ１とが選択された状態であり、従って録画日が「１２月３日」の番組コンテンツデータＣＤに対応するコンテンツアイコンＩＣＡ１〜ＩＣＡ３が、そのチャンネル名、番組タイトル、放送開始時刻及び放送終了時刻と共に上から録画時刻の早い順にコンテンツアイコン表示領域２１に表示されている。
【００５４】
かくしてユーザは、ハードディスクレコーダ１に録画した番組を、このコンテンツ確認画面２０上で確認することができ、また録画した番組の検索や並び替えを実行させて所望の条件の番組を確認することもできる。
【００５５】
さらにこのコンテンツ確認画面２０では、コンテンツアイコン表示領域２１に表示したコンテンツアイコンＩＣ（ＩＣＡ１〜ＩＣＡ３、…）を、リモートコントローラＲＣを介してコンテンツアイコン表示領域２１上で上下に移動させ得る選択カーソルＳＣで選択することができ、選択した状態でリモートコントローラＲＣの再生ボタンや消去ボタン（図示せず）を押下することにより、選択したコンテンツアイコンＩＣ（ＩＣＡ１〜ＩＣＡ３、…）に対応する番組コンテンツデータＣＤの再生や消去を実行することができるようになされている。
【００５６】
実際上ＣＰＵ４は、選択カーソルＳＣによって例えばコンテンツアイコンＩＣＡ３が選択された状態で、リモートコントローラＲＣの再生ボタンや消去ボタンが押下されたことを認識すると、選択されたコンテンツアイコンＩＣＡ３に対応する番組コンテンツデータＣＤをハードディスクドライブ７から読み出して再生したり、またハードディスクドライブ７から消去したりするようになされている。
【００５７】
またこのハードディスクレコーダ１においてはリジューム機能を有しており、番組コンテンツデータＣＤを再生途中で停止した場合（リモートコントローラＲＣの停止ボタン（図示せず）が押下された場合）、その停止時点をリジューム情報として番組コンテンツデータＣＤ毎にハードディスクドライブ７に記録しておくことにより、再度この番組コンテンツデータＣＤを再生する場合には、このリジューム情報を参照して前回の再生時における停止時点から再生し得るようになされている。
【００５８】
因みにこの場合の停止時点は、ＭＰＥＧ規格に準拠して符号化されている映像データＶＤのＧＯＰ（Group Of Picture）層に記述されたタイムコード（例えば「hh：mm：ss」のフォーマットで記述）から取得するようになされている。
【００５９】
（２）コンテンツアイコン生成処理
本実施の形態におけるハードディスクレコーダ１は、録画した番組をユーザがどの時点まで視聴したのかを示す視聴割合に応じたコンテンツアイコンＩＣ（ＩＣＡ１〜ＩＣＡ３、…）を生成するコンテンツアイコン生成機能を有しており、以下、このコンテンツアイコン生成機能におけるコンテンツアイコン生成処理について説明する。
【００６０】
因みにこの場合の視聴割合は、０〜１００％の間の値を取り、録画した番組をまだ一度も視聴していない場合は「０％」、最後（終了時点）まで視聴し終えている場合には「１００％」、例えば６０分の番組を録画したとして、その録画した番組を当該番組の開始時点（「00：00：00」）から４５分の時点（「00：45：00」）まで視聴したとすれば「７５％」になるものである。
【００６１】
またハードディスクレコーダ１においては、今までにリジューム情報として番組コンテンツデータＣＤの再生時に記録した停止時点のうちの最長の停止時点（以下、これを視聴済時点とも呼ぶ）を視聴済時点情報として当該番組コンテンツデータＣＤ毎にハードディスクドライブ７に記録するようにもなされており、この視聴済時点情報をもとに視聴割合を算出するようになされている。
【００６２】
実際上ハードディスクレコーダ１のＣＰＵ４は、例えば図２に示すように、コンテンツ確認画面２０上で、コンテンツアイコンＩＣＡ３（チャンネル名「フギテレビ」、番組タイトル「へ〜×３」、放送開始時刻「１２月３日  ２０：００」、放送終了時刻「２１：００」）が選択カーソルＳＣによって選択された状態で、リモートコントローラＲＣの再生ボタンが押下されたことを認識すると、ＲＯＭ５から読み出したコンテンツアイコン生成プログラムに従って図３に示すコンテンツアイコン生成処理手順ＲＴ１を実行する。
【００６３】
なお、ここで選択されたコンテンツアイコンＩＣＡ３に対応する番組コンテンツデータＣＤは、まだ１度も再生されたことのない状態であるものとする。
【００６４】
ＣＰＵ４は、コンテンツアイコン生成処理手順ＲＴ１を実行すると、ステップＳＰ１においてコンテンツアイコンＩＣＡ３に対応する番組コンテンツデータＣＤのリジューム情報をハードディスクドライブ７から読み出して参照することにより、当該番組コンテンツデータＣＤの前回の再生時における停止時点を認識し、当該停止時点から番組コンテンツデータＣＤを読み出して再生する。
【００６５】
これにより、モニタ１６及びスピーカ１７からは、番組コンテンツデータＣＤに基づく番組映像及び番組音声が、前回の再生時における停止時点から出力される。
【００６６】
なお、本実施の形態におけるハードディスクレコーダ１においては、番組コンテンツデータＣＤがまだ一度も再生されていない場合には、当該番組コンテンツデータＣＤのリジューム情報がハードディスクドライブ７に記録されていないので、当該番組コンテンツデータＣＤの先頭である開始時点からの再生となり、また前回の再生時に終了時点まで再生された場合にも、一旦リジューム情報を開始時点にリセットするので、開始時点からの再生となる。
【００６７】
従ってコンテンツアイコンＩＣＡ３に対応する番組コンテンツデータＣＤにおいては、このとき開始時点からの再生となる。
【００６８】
このようにしてコンテンツアイコンＩＣＡ３に対応する番組コンテンツデータＣＤの再生を開始した後、ＣＰＵ４は、次のステップＳＰ２に移る。
【００６９】
ステップＳＰ２においてＣＰＵ４は、リモートコントローラＲＣの停止ボタンが押下されたか否かを判断する。
【００７０】
ここで否定結果を得ると、このことは、番組コンテンツデータＣＤを再生した後、停止ボタンが押下されずに終了時点まで再生したこと、すなわちユーザが番組コンテンツデータＣＤの番組映像及び番組音声を最後まで視聴し終えたことを表しており、このときＣＰＵ４は、ステップＳＰ３に進む。
【００７１】
ステップＳＰ３においてＣＰＵ４は、ステップＳＰ１で再生した番組コンテンツデータＣＤに対応するリジューム情報を一旦開始時点にリセットすると共に、視聴済時点情報を当該番組コンテンツデータＣＤの終了時点にセットし、ステップＳＰ７に移る。
【００７２】
これに対してステップＳＰ２において肯定結果を得ると、このことは、番組コンテンツデータＣＤを再生した後、当該番組コンテンツデータＣＤの終了時点になる前に停止ボタンが押下されて再生を停止したこと、すなわちユーザが番組コンテンツデータＣＤの番組映像及び番組音声の視聴を途中で止めたことを表しており、このときＣＰＵ４は、次のステップＳＰ４に進む。
【００７３】
ステップＳＰ４においてＣＰＵ４は、このとき再生を停止した停止時点でリジューム情報を更新し、次のステップＳＰ５に移る。
【００７４】
ステップＳＰ５においてＣＰＵ４は、ステップＳＰ４で更新したリジューム情報の停止時点が、ハードディスクドライブ７に記録してある視聴済時点情報の視聴済時点よりも大きい値か否かを判断する。
【００７５】
ここで否定結果を得ると、このことは、今回再生を停止した停止時点が、以前に再生を停止した停止時点の中で最長の停止時点である視聴済時点よりも小さい値であることを表しており、このときＣＰＵ４は、ステップＳＰ７に移る。
【００７６】
これに対してステップＳＰ５において肯定結果を得ると、このことは、今回再生を停止した停止時点が視聴済時点よりも大きい値であり、今回の停止時点が今までで最長のものであることを表しており、このときＣＰＵ４は次のステップＳＰ６に移る。
【００７７】
ステップＳＰ６においてＣＰＵ４は、視聴済時点情報の視聴済時点を今回の停止時点で更新し、次のステップＳＰ７に移る。
【００７８】
ステップＳＰ７においてＣＰＵ４は、番組コンテンツデータＣＤの終了時点（すなわち番組コンテンツデータＣＤの開始から終了までの時間）に対する視聴済時点（すなわち番組コンテンツデータＣＤの開始から視聴したところまでの時間）の割合「視聴済時点／終了時点」を算出し、この結果を視聴割合として認識し、次のステップＳＰ８に移る。
【００７９】
ステップＳＰ８においてＣＰＵ４は、番組コンテンツデータＣＤの視聴割合に応じたコンテンツアイコンＩＣを生成し、これをコンテンツアイコンＩＣＡ３に代えてコンテンツアイコン表示領域２１に表示する。
【００８０】
実際上ＣＰＵ４は、図４に示すように形状は同一で色がそれぞれ異なる５種類のコンテンツアイコンＩＣ（ＩＣＡ〜ＩＣＥ）を生成し得るようになされており、視聴割合が「０〜２０％」の場合には、最も濃い色のコンテンツアイコンＩＣＡを生成し、視聴割合が「２１〜４０％」の場合には、コンテンツアイコンＩＣＡよりも少し薄い色のコンテンツアイコンＩＣＢを生成し、視聴割合が「４１〜６０％」の場合には、さらにコンテンツアイコンＩＣＢよりも少し薄い色のコンテンツアイコンＩＣＣを生成し、視聴割合が「６１〜８０％」の場合には、さらにコンテンツアイコンＩＣＣよりも少し薄い色のコンテンツアイコンＩＣＤを生成し、視聴割合が「８１〜１００％」の場合には、ほぼ白色のコンテンツアイコンＩＣＥを生成する。
【００８１】
例えば１時間番組の番組コンテンツデータＣＤが、まだ１度も再生されていない状態では図２に示すように視聴割合が「０〜２０％」のコンテンツアイコンＩＣＡ３で表示されていたのに対し、今回開始時点（「00：00：00」）から４５分の時点（「00：45：00」）まで再生されたとすれば、視聴割合が「７５％（４５分／６０分）」となり、図５に示すように視聴割合が「６１〜８０％」のコンテンツアイコンＩＣＤ１に変更されて表示される。
【００８２】
このようにして番組コンテンツデータＣＤの視聴割合に応じたコンテンツアイコンＩＣＡ（ＩＣＡ１〜ＩＣＡＮ）〜ＩＣＥ（ＩＣＥ１〜ＩＣＥＮ）を生成して表示後、ＣＰＵ４は、次のステップＳＰ９に移ってコンテンツアイコン生成処理を終了する。
【００８３】
かくして、このハードディスクレコーダ１においては、番組コンテンツデータＣＤのそれぞれがどの時点まで視聴済であるのかを、コンテンツ確認画面２０上に表示する当該番組コンテンツデータＣＤに対応するコンテンツアイコンＩＣＡ（ＩＣＡ１〜ＩＣＡＮ）〜ＩＣＥ（ＩＣＥ１〜ＩＣＥＮ）の色でユーザに容易に認識させることができる。
【００８４】
（３）ソートボタンによるソート例
次に、上述のコンテンツアイコン生成処理によって視聴割合に応じて生成されたコンテンツアイコンＩＣを、各ソートボタンＳＢ１〜ＳＢ５によってソートして表示する場合について説明する。
【００８５】
まず視聴割合低順ボタンＳＢ２が選択された場合について図６を用いて説明する。なお、ここでは、全フォルダＦＬ１が選択された状態で、ハードディスクドライブ７に記録されている全ての番組コンテンツデータＣＤにそれぞれ対応するコンテンツアイコンＩＣをソート対象とする。
【００８６】
ＣＰＵ４は、視聴割合低順ボタンＳＢ２が選択されたことを認識すると、コンテンツアイコン表示領域２１において、上から視聴割合の低い順に例えばコンテンツアイコンＩＣＡ１、ＩＣＡ２、ＩＣＢ１、ＩＣＣ１、ＩＣＤ１、ＩＣＥ１、ＩＣＥ２と並び替えて表示する。
【００８７】
これによりハードディスクレコーダ１は、コンテンツ確認画面２０上で、ユーザに対して視聴割合の低い番組コンテンツデータＣＤがどれであるのかを容易に認識させることができる。
【００８８】
またこのとき、コンテンツアイコン表示領域２１の最上段には、当該コンテンツアイコン表示領域２１に表示されたコンテンツアイコンＩＣ（ＩＣＡ１、ＩＣＡ２、ＩＣＢ１、ＩＣＣ１、ＩＣＤ１、ＩＣＥ１、ＩＣＥ２）にそれぞれ対応する番組コンテンツデータＣＤをその視聴割合が低い順に連続再生するための連続再生アイコンＰＩが表示されるようになされている。
【００８９】
そしてＣＰＵ４は、この連続再生アイコンＰＩに選択カーソルＳＣを合わせた状態でリモートコントローラＲＣの再生ボタンが押下されたことを認識すると、視聴割合の低い順に番組コンテンツデータＣＤを読み出して連続再生するようになされている。
【００９０】
このようにハードディスクレコーダ１は、ユーザがまだ最後まで視聴し終えていない番組コンテンツデータＣＤを、視聴割合の低い順に連続して再生することができるようになされており、これによりユーザがまだ最後まで視聴し終えてない番組コンテンツデータＣＤをそれぞれ１つずつ選択して再生するといった手間を省くことができるので、番組コンテンツデータＣＤ再生時の利便性を一段と向上させることができる。
【００９１】
次に視聴割合高順ボタンＳＢ３が選択された場合について図７を用いて説明する。ＣＰＵ４は、視聴割合高順ボタンＳＢ３が選択されたことを認識すると、コンテンツアイコン表示領域２１において、上から視聴割合の高い順に例えばコンテンツアイコンＩＣＥ２、ＩＣＥ１、ＩＣＤ１、ＩＣＣ１、ＩＣＢ１、ＩＣＡ２、ＩＣＡ１と並び替えて表示する。
【００９２】
これによりハードディスクレコーダ１は、コンテンツ確認画面２０上で、ユーザに対して視聴割合の高い番組コンテンツデータＣＤがどれであるのかを容易に認識させることができる。
【００９３】
次に視聴割合低ボタンＳＢ４が選択された場合について図８を用いて説明する。ＣＰＵ４は、視聴割合低ボタンＳＢ４が選択されたことを認識すると、コンテンツアイコン表示領域２１において、視聴割合が「０〜２０％」の番組コンテンツデータＣＤに対応するコンテンツアイコンＩＣＡ１、ＩＣＡ２のみを視聴割合の低い順に表示する。
【００９４】
これによりハードディスクレコーダ１は、コンテンツ確認画面２０上で、ユーザに対して視聴割合が特に低い（「０〜２０％」）番組コンテンツデータＣＤがどれであるのかを容易に認識させることができる。
【００９５】
またこのとき、コンテンツアイコン表示領域２１の最上段には、当該コンテンツアイコン表示領域２１に表示されたコンテンツアイコンＩＣＡ１、ＩＣＡ２にそれぞれ対応する番組コンテンツデータＣＤをその視聴割合が低い順に連続再生するための連続再生アイコンＰＩが表示されるようになされている。
【００９６】
そしてＣＰＵ４は、この連続再生アイコンＰＩに選択カーソルＳＣを合わせた状態でリモートコントローラＲＣの再生ボタンが押下されたことを認識すると、視聴割合の特に低い番組コンテンツデータＣＤを、視聴割合の低い順に読み出して連続再生するようになされている。
【００９７】
このようにハードディスクレコーダ１は、ユーザがまだほとんど視聴していないか、あるいは全く視聴していない番組コンテンツデータＣＤを検索して表示し、これらを視聴割合の低い順に連続して再生することができるようになされており、これによりユーザがこのような番組コンテンツデータＣＤをそれぞれ１つずつ選択して再生するといった手間を省くことができるので、番組コンテンツデータＣＤ再生時の利便性を一段と向上させることができる。
【００９８】
次に視聴割合高ボタンＳＢ５が選択された場合について図９を用いて説明する。ＣＰＵ４は、視聴割合高ボタンＳＢ５が選択されたことを認識すると、コンテンツアイコン表示領域２１において、視聴割合が「８１〜１００％」の番組コンテンツデータＣＤに対応するコンテンツアイコンＩＣＥ２、ＩＣＥ１のみを視聴割合の高い順に表示する。
【００９９】
これによりハードディスクレコーダ１は、コンテンツ確認画面２０上で、ユーザに対して視聴割合が特に高い（「８１〜１００％」）番組コンテンツデータＣＤがどれであるのかを容易に認識させることができる。
【０１００】
またこのとき、コンテンツアイコン表示領域２１の最上段には、当該コンテンツアイコン表示領域２１に表示されたコンテンツアイコンＩＣＥ２、ＩＣＥ１にそれぞれ対応する番組コンテンツデータＣＤを全て消去するための消去アイコンＤＩが表示されるようになされている。
【０１０１】
そしてＣＰＵ４は、この消去アイコンＤＩに選択カーソルＳＣを合わせた状態でリモートコントローラＲＣの消去ボタンが押下されたことを認識すると、視聴割合の特に高い（「８１〜１００％」）番組コンテンツデータＣＤの全てをハードディスクドライブ７から消去するようになされている。
【０１０２】
このようにハードディスクレコーダ１は、ユーザがほとんど視聴し終えているか、あるいは最後まで視聴し終えている番組コンテンツデータＣＤを検索して表示し、これら全てを１度に消去することができるようになされており、これによりユーザがこのような番組コンテンツデータＣＤをそれぞれ１つずつ選択して消去するといった手間を省くことができるので、番組コンテンツデータＣＤ消去時の利便性を一段と向上させることができる。
【０１０３】
（４）本実施の形態による動作及び効果
以上の構成において、このハードディスクレコーダ１では、番組コンテンツデータＣＤの再生を停止したとき、停止した位置を示す停止時点をリジューム情報として再生した番組コンテンツデータＣＤ毎にハードディスクドライブ７に記録し、当該番組コンテンツデータＣＤの次回の再生時には、この停止時点から再生する。
【０１０４】
さらにこのハードディスクレコーダ１では、今までにリジューム情報として番組コンテンツデータＣＤの再生時に記録した停止時点のうちの、最長の停止時点（視聴済時点）を視聴済時点情報として当該番組コンテンツデータＣＤ毎にハードディスクドライブ７に記録する。
【０１０５】
そしてハードディスクレコーダ１は、番組コンテンツデータＣＤの終了時点に対する視聴済時点の割合を視聴割合として当該番組コンテンツデータ毎に算出する。
【０１０６】
この結果、番組コンテンツデータＣＤが開始時点からどの時点まで視聴済であるのかを視聴割合として数値化することができる。
【０１０７】
そしてハードディスクレコーダ１は、この視聴割合に応じて、色の異なるコンテンツアイコンＩＣＡ（ＩＣＡ１〜ＩＣＡＮ）〜ＩＣＥ（ＩＣＥ１〜ＩＣＥＮ）を生成し、これを番組コンテンツデータＣＤを視覚的に示すアイコンとしてコンテンツ確認画面２０に表示する。
【０１０８】
かくして、ハードディスクレコーダ１においては、番組コンテンツデータＣＤが開始時点からどの時点まで視聴済であるのかを、コンテンツ確認画面２０上に表示するコンテンツアイコンＩＣＡ（ＩＣＡ１〜ＩＣＡＮ）〜ＩＣＥ（ＩＣＥ１〜ＩＣＥＮ）の色でユーザに容易に認識させることができる。
【０１０９】
またこのコンテンツ確認画面２０上には、コンテンツアイコンＩＣＡ（ＩＣＡ１〜ＩＣＡＮ）〜ＩＣＥ（ＩＣＥ１〜ＩＣＥＮ）を複数表示することができるので、複数の番組コンテンツデータＣＤにおける視聴割合をユーザが一度に認識することができる。
【０１１０】
以上の構成によれば、このハードディスクレコーダ１において、番組コンテンツデータＣＤの再生を停止すると、停止した位置を示す停止時点を番組コンテンツデータＣＤ毎にハードディスクドライブ７に記録し、この停止時点に応じて番組コンテンツデータＣＤの停止時点を色で示すコンテンツアイコンＩＣＡ（ＩＣＡ１〜ＩＣＡＮ）〜ＩＣＥ（ＩＣＥ１〜ＩＣＥＮ）を当該番組コンテンツデータＣＤ毎に生成するようにしたことにより、コンテンツアイコンＩＣＡ（ＩＣＡ１〜ＩＣＡＮ）〜ＩＣＥ（ＩＣＥ１〜ＩＣＥＮ）を外部のモニタ１６に表示させてユーザに各番組コンテンツデータＣＤの停止時点を認識させることができるので、番組コンテンツデータＣＤがどの時点まで視聴済であるのかをユーザに容易に認識させることができる。
【０１１１】
また本実施の形態によるハードディスクレコーダ１においては、番組コンテンツデータＣＤがどの時点まで視聴済であるのかを示す視聴割合を、リジューム情報として番組コンテンツデータＣＤの再生時に記録した停止時点のうちの最長の停止時点（視聴済時点）をもとに算出するようにしたことにより、番組コンテンツデータＣＤを巻き戻して再生した場合等であっても、今まで再生した中で最長の停止時点における視聴割合を保持できる。
【０１１２】
（５）他の実施の形態
なお上述の実施の形態においては、生成するコンテンツアイコンＩＣＡ（ＩＣＡ１〜ＩＣＡＮ）〜ＩＣＥ（ＩＣＥ１〜ＩＣＥＮ）の色の濃度を５段階に分けて表示することにより、当該コンテンツアイコンＩＣＡ（ＩＣＡ１〜ＩＣＡＮ）〜ＩＣＥ（ＩＣＥ１〜ＩＣＥＮ）に対応する番組コンテンツデータＣＤの視聴割合（すなわちどの時点まで視聴済であるのか）をユーザに認識させるようにした場合について述べたが、本発明はこれに限らず、５段階未満や、６段階以上に分けた濃度や、異なる色で表示するようにしてもよい。
【０１１３】
また上述の実施の形態においては、生成するコンテンツアイコンＩＣＡ（ＩＣＡ１〜ＩＣＡＮ）〜ＩＣＥ（ＩＣＥ１〜ＩＣＥＮ）の色で視聴割合をユーザに認識させるようにした場合について述べたが、本発明はこれに限らず、例えば図１０（Ａ）及び（Ｂ）に示すように、視聴割合の数値（例えば「６５％」や、「４５／６０」）をコンテンツアイコンＩＣ上に文字として表示することにより視聴割合を認識させるようにしてもよく、このようにユーザに番組コンテンツデータＣＤがどの時点まで視聴済であるのかを容易に認識させ得る文字や画像を組み合わせて生成した種々のコンテンツアイコンＩＣを表示するようにしてもよい。
【０１１４】
さらに上述の実施の形態においては、一度も視聴されていない番組コンテンツデータＣＤに対しては、視聴割合が「０〜２０％」であることを示すコンテンツアイコンＩＣＡを生成し、最後まで視聴し終えた番組コンテンツデータＣＤに対しては、視聴割合が「８１〜１００％」であることを示すコンテンツアイコンＩＣＥを生成するようにした場合について述べたが、本発明はこれに限らず、例えば図１０（Ｃ）及び（Ｄ）に示すように、１度も視聴されていない番組コンテンツデータＣＤに対しては、コンテンツアイコンＩＣＡ上に未視聴であることを示す文字マーク「未」を表示し、最後まで視聴し終えた番組コンテンツデータＣＤに対しては、コンテンツアイコンＩＣＥ上に視聴済みであることを示す文字マーク「済」を表示するようにしてもよい。
【０１１５】
さらに上述の実施の形態においては、ソートボタンＳＢ（ＳＢ１〜ＳＢ５）として時刻順ボタンＳＢ１、視聴割合低順ボタンＳＢ２、視聴割合高順ボタンＳＢ３、視聴割合低ボタンＳＢ４及び視聴割合高ボタンＳＢ５を設けた場合について述べたが、本発明はこれに限らず、例えば、ユーザが一度も視聴していない番組コンテンツデータＣＤのみをソートして表示させるソートボタンＳＢや、ユーザが最後まで視聴し終えた番組コンテンツデータＣＤのみをソートして表示させるソートボタンＳＢや、ユーザが自由にソート条件を設定し得るソートボタンＳＢ等を設けるようにしてもよい。
【０１１６】
さらに上述の実施の形態においては、番組コンテンツデータＣＤがどの時点まで視聴済であるのかを示す視聴割合を、リジューム情報として番組コンテンツデータＣＤの再生時に記録した停止時点のうちの最長の停止時点（視聴済時点）をもとに算出するようにした場合について述べたが、本発明はこれに限らず、再生する毎に更新されるリジューム情報の停止時点をもとに算出するようにしてもよい。この場合の視聴割合は、前回の再生時にどの時点まで再生（視聴）したのかを示す情報となる。
【０１１７】
さらに上述の実施の形態においては、視聴割合高ボタンＳＢ５が選択された際に、ほとんど視聴し終えた番組コンテンツデータＣＤ、及び最後まで視聴し終えた番組コンテンツデータＣＤに対応するコンテンツアイコンＩＣ（ＩＣＥ１〜ＩＣＥＮ）を検索して表示すると共に、これらの全てを消去するための消去アイコンＤＩを表示して、視聴割合が特に高い番組コンテンツデータＣＤの消去をユーザに薦めるようにした場合について述べたが、本発明はこれに限らず、例えば番組コンテンツデータＣＤを最後まで再生（視聴）し終えたときに、その番組コンテンツデータＣＤを消去してもよいか否かを確認する告知情報としてのメッセージをビデオデコーダ１４を介してモニタ１６に表示することにより消去を薦めるようにしてもよい。
【０１１８】
さらに上述の実施の形態においては、番組コンテンツデータＣＤにおける再生を停止した位置を当該番組コンテンツデータＣＤのタイムコードから得られる停止時点によって認識するようにした場合についてのべたが、本発明はこれに限らず、例えば番組コンテンツデータＣＤにおけるハードディスクドライブ７上のアドレス等をもとに再生を停止した位置を認識するようにしてもよい。
【０１１９】
さらに上述の実施の形態においては、テレビジョン放送の番組映像及び番組音声からなる番組コンテンツデータＣＤをコンテンツデータとして記録媒体としてのハードディスクドライブ７に記録及び再生するようにした場合について述べたが、本発明はこれに限らず、例えば、ＤＶＤに記録された映像や音声、ＣＤに記録された音声、インターネットからダウンロードした映像や音声等の種々のコンテンツデータをハードディスクドライブ７に記録及び再生し、これらの視聴割合を算出するようにしてもよい。
【０１２０】
さらに上述の実施の形態においては、記録媒体としてのハードディスクドライブ７や、
記録手段及び再生手段としてのデマルチプレクサ１３や、再生手段及び告知情報出力手段としてのビデオデコーダ１４や、再生手段としてのオーディオデコーダ１５や、停止位置記録手段、表示子生成手段、ソート手段、再生順序設定手段としてのＣＰＵ４によって記録再生装置としてのハードディスクレコーダ１を構成するようにした場合について述べたが、本発明はこれに限らず、この他種々の構成でこのハードディスクレコーダ１を構成するようにしてもよい。
【産業上の利用可能性】
【０１２１】
本発明は、映像データや音声データ等からなるコンテンツデータを記録及び再生し得る記録再生装置に広く利用できる。
【図面の簡単な説明】
【０１２２】
【図１】本実施の形態によるハードディスクレコーダの構成を示す略線図である。
【図２】コンテンツ確認画面（１）を示す略線図である。
【図３】コンテンツアイコン生成処理手順を示すフローチャートである。
【図４】視聴割合に応じて生成されるコンテンツアイコンの種類を示す略線図である。
【図５】コンテンツ確認画面（２）を示す略線図である。
【図６】コンテンツ確認画面（３）を示す略線図である。
【図７】コンテンツ確認画面（４）を示す略線図である。
【図８】コンテンツ確認画面（５）を示す略線図である。
【図９】コンテンツ確認画面（６）を示す略線図である。
【図１０】他の実施の形態におけるコンテンツアイコンの例を示す略線図である。
【符号の説明】
【０１２３】
１……ハードディスクレコーダ、４……ＣＰＵ、５……ＲＯＭ、６……ＲＡＭ、７……ハードディスクドライブ、１３……デマルチプレクサ、１４……ビデオデコーダ、１５……オーディオデコーダ、１６……モニタ、１７……スピーカ、２０……コンテンツ確認画面、ＦＬ１〜ＦＬ４……フォルダ、ＩＣＡ（ＩＣＡ１〜ＩＣＡＮ）〜ＩＣＥ（ＩＣＥ１〜ＩＣＥＮ）……コンテンツアイコン、ＳＢ１〜ＳＢ５……ソートボタン、ＲＣ……リモートコントローラ。
【図１】
2005216338.tif 000003
【図２】
2005216338.tif 000004
【図３】
2005216338.tif 000005
【図４】
2005216338.tif 000006
【図５】
2005216338.tif 000007
【図６】
2005216338.tif 000008
【図７】
2005216338.tif 000009
【図８】
2005216338.tif 000010
【図９】
2005216338.tif 000011
【図１０】
2005216338.tif 000012